(57)【要約】【課題】簡単に、待機電力を削減しながら起動を高速化する。【解決手段】電源ONボタン１１Ａは、待機状態から起動状態へ移行させるときにユーザにより操作され、通信部３４は、電源ONボタン１１Ａに対して待機状態から起動状態へ移行させる操作がなされたとき、起動状態への移行を指示する起動指示信号としてのセンサ検出信号を送信し、動き加速度センサ３１は、待機状態から起動状態へ移行させる操作がなされる前に検出可能なリモートコマンダ１１の加速度値を検出し、マイクロコントローラ３３は、その加速度値に基づいて、待機状態から起動状態へ移行させる操作がなされる可能性があるか否かを判定し、可能性があると判定された場合、通信部３４は、アクティブスタンバイへの移行を指示する待機状態切り換え指示信号としてのセンサ検出信号を送信する。本発明は、例えばリモートコマンダに適用できる。【選択図】図３
2009077186.tif 000002
【特許請求の範囲】
【請求項１】
第１の待機状態と前記第１の待機状態より起動状態への移行が高速で待機電力が大きい第２の待機状態とがある機器と、前記機器を前記待機状態から前記起動状態に移行させる制御を行う制御装置とからなる制御システムにおいて、
前記制御装置は、
前記機器を前記待機状態から前記起動状態へ移行させるときにユーザにより操作される操作手段と、
前記操作手段に対して前記機器を前記待機状態から前記起動状態へ移行させる操作がなされたとき、前記起動状態への移行を指示する起動指示信号を、前記機器に送信する第１の送信手段と、
前記操作手段に対する前記機器を前記待機状態から前記起動状態へ移行させる操作がなされる前に検出可能な所定のセンサ情報を検出する検出手段と、
前記検出手段により検出された前記センサ情報に基づいて、前記操作手段に対して前記機器を前記待機状態から前記起動状態へ移行させる操作がなされる可能性があるか否かを判定する判定手段と、
前記操作手段に対して前記機器を前記待機状態から前記起動状態へ移行させる操作がなされる可能性があると判定された場合、前記機器の第２の待機状態への移行を指示する待機状態切り換え指示信号を前記機器に送信する第２の送信手段と
を備え、
前記機器は、
前記制御装置から送信された前記待機状態切り換え指示信号を受信すると、そのときの状態が前記第１の待機状態の場合、前記第２の待機状態に移行し、
前記制御装置から送信された前記起動指示信号を受信すると、前記起動状態に移行する
制御システム。
【請求項２】
第１の待機状態と前記第１の待機状態より起動状態への移行が高速で待機電力が大きい第２の待機状態とがある機器を前記待機状態から前記起動状態に移行させる制御を行う制御装置において、
前記機器を前記待機状態から前記起動状態へ移行させるときにユーザにより操作される操作手段と、
前記操作手段に対して前記機器を前記待機状態から前記起動状態へ移行させる操作がなされたとき、前記起動状態への移行を指示する起動指示信号を、前記機器に送信する第１の送信手段と、
前記操作手段に対する前記機器を前記待機状態から前記起動状態へ移行させる操作がなされる前に検出可能な所定のセンサ情報を検出する検出手段と、
前記検出手段により検出された前記センサ情報に基づいて、前記操作手段に対して前記機器を前記待機状態から前記起動状態へ移行させる操作がなされる可能性があるか否かを判定する判定手段と、
前記操作手段に対して前記機器を前記待機状態から前記起動状態へ移行させる操作がなされる可能性があると判定された場合、前記機器の第２の待機状態への移行を指示する待機状態切り換え指示信号を前記機器に送信する第２の送信手段と
を備え、
前記機器は、
前記制御装置から送信された前記待機状態切り換え指示信号を受信すると、そのときの状態が前記第１の待機状態の場合、前記第２の待機状態に移行し、
前記制御装置から送信された前記起動指示信号を受信すると、前記起動状態に移行する
制御装置。
【請求項３】
前記検出手段は、前記センサ情報として、前記制御装置の動きの有無または前記制御装置の加速度値を検出する
請求項２に記載の制御装置。
【請求項４】
前記検出手段は、前記センサ情報として、前記制御装置に対する生体接触の有無または前記制御装置に対する生体接触時の前記制御装置の動きの有無を検出する
請求項２に記載の制御装置。
【請求項５】
生体指紋を認識する認識手段と、
前記認識手段により認識された前記生体指紋から、操作しているユーザを特定する特定手段と
をさらに備え、
前記検出手段は、前記認識手段により認識された前記生体指紋に基づいて、前記センサ情報として、生体接触の有無を検出し、
前記第１及び第２の送信手段は、前記特定手段により特定された前記操作しているユーザに応じて、前記起動指示信号及び前記待機状態切り換え指示信号の送信を制限する
請求項２に記載の制御装置。
【請求項６】
音を入力する入力手段と、
前記入力手段に入力された前記音に基づいて、音声を認識する認識手段と、
前記認識手段により認識された前記音声から、操作しているユーザを特定する特定手段と
をさらに備え、
前記検出手段は、前記認識手段により認識された前記音声に基づいて、前記センサ情報として、ユーザによる発音の有無を検出し、
前記第１及び第２の送信手段は、前記特定手段により特定された前記操作しているユーザに応じて、前記起動指示信号及び前記待機状態切り換え指示信号の送信を制限する
請求項２に記載の制御装置。
【請求項７】
第１の待機状態と前記第１の待機状態より起動状態への移行が高速で待機電力が大きい第２の待機状態とがある機器を前記待機状態から前記起動状態に移行させる制御を行う制御装置の制御方法であり、
前記機器を前記待機状態から前記起動状態へ移行させるときにユーザにより操作手段が操作される操作ステップと、
前記操作手段に対して前記機器を前記待機状態から前記起動状態へ移行させる操作がなされたとき、前記起動状態への移行を指示する起動指示信号を、前記機器に送信する第１の送信ステップと、
前記操作手段に対する前記機器を前記待機状態から前記起動状態へ移行させる操作がなされる前に検出可能な所定のセンサ情報を検出する検出ステップと、
前記検出ステップの処理により検出された前記センサ情報に基づいて、前記操作手段に対して前記機器を前記待機状態から前記起動状態へ移行させる操作がなされる可能性があるか否かを判定する判定ステップと、
前記操作手段に対して前記機器を前記待機状態から前記起動状態へ移行させる操作がなされる可能性があると判定された場合、前記機器の第２の待機状態への移行を指示する待機状態切り換え指示信号を前記機器に送信する第２の送信ステップと
を含み、
前記機器は、
前記制御装置から送信された前記待機状態切り換え指示信号を受信すると、そのときの状態が前記第１の待機状態の場合、前記第２の待機状態に移行し、
前記制御装置から送信された前記起動指示信号を受信すると、前記起動状態に移行する
制御方法。
【請求項８】
第１の待機状態と前記第１の待機状態より起動状態への移行が高速で待機電力が大きい第２の待機状態とがある機器を前記待機状態から前記起動状態に移行させる制御を行う制御装置の制御処理をコンピュータに実行させるプログラムであり、
前記機器を前記待機状態から前記起動状態へ移行させるときにユーザにより操作手段が操作される操作ステップと、
前記操作手段に対して前記機器を前記待機状態から前記起動状態へ移行させる操作がなされたとき、前記起動状態への移行を指示する起動指示信号を、前記機器に送信する第１の送信ステップと、
前記操作手段に対する前記機器を前記待機状態から前記起動状態へ移行させる操作がなされる前に検出可能な所定のセンサ情報を検出する検出ステップと、
前記検出ステップの処理により検出された前記センサ情報に基づいて、前記操作手段に対して前記機器を前記待機状態から前記起動状態へ移行させる操作がなされる可能性があるか否かを判定する判定ステップと、
前記操作手段に対して前記機器を前記待機状態から前記起動状態へ移行させる操作がなされる可能性があると判定された場合、前記機器の第２の待機状態への移行を指示する待機状態切り換え指示信号を前記機器に送信する第２の送信ステップと
を含み、
前記機器は、
前記制御装置から送信された前記待機状態切り換え指示信号を受信すると、そのときの状態が前記第１の待機状態の場合、前記第２の待機状態に移行し、
前記制御装置から送信された前記起動指示信号を受信すると、前記起動状態に移行する
制御処理をコンピュータに実行させるプログラム。
【発明の詳細な説明】
【技術分野】
【０００１】
本発明は制御システム、制御装置及び方法、並びにプログラムに関し、特に、例えば、簡単に、待機電力を削減しながら起動を高速化することができるようにする制御システム、制御装置及び方法、並びにプログラムに関する。
【背景技術】
【０００２】
テレビジョン受信機に代表される家電機器などは、通常消費電力を節約するために、使用されていないときは、主電源は投入されているが機器の主機能は動作していない待機状態となり、使用が開始されるとき（例えば、番組再生が開始されるとき）、主機能が動作する起動状態に移行するようになされている（例えば、特許文献１参照）。
【０００３】
例えば、図１左に示すように、使用されていないテレビジョン受信機２は、主電源は投入されているが表示パネル等への電力の供給が停止されている待機状態となっており、リモートコマンダ１からの赤外線通信や無線通信等による電源ON指示信号により、図１右に示すように、表示パネル等への電力供給が開始されて起動状態に移行し、テレビジョン放送等の画像（図中の木が映っている画像）が映し出される。
【０００４】
待機状態から起動状態への移行までの起動時間が長いと、機器を利用するユーザはストレスを感じることになる。そこで起動の高速化を実現するためにいろいろな技術的な工夫が考案されている。例えば、起動の処理そのものを高速化する方法や、起動の処理工程を削減する方法、起動の各処理工程の時間を短縮する方法等が考案されている。
【０００５】
一方、待機時の消費電力（以下、待機電力と称する）を削減することも重要な要件になっているため、待機時に動作不要な内部のハードウェアブロックに対して可能な限り電力の供給を行わないようにすることが求められる。
【０００６】
しかしながら、このように待機時において電力の供給制限をすると、ソフトウェアにより主機能実行に必要な設定が完了するのに時間がかかり、起動時間が長くなってしまう。
【０００７】
このように待機電力の削減と起動の高速化は相反するものであるが、これらを両立させる方法としては、例えば、電力が供給されるハードウェアブロックが異なる複数の待機状態を用意し、各待機状態を機器の利用状況に応じて切り替える方法がある。
【特許文献１】特開平０６−２９２１９９号公報
【発明の開示】
【発明が解決しようとする課題】
【０００８】
しかしながら、この待機状態を機器の利用状況に応じて切り替える方法では、どの利用状況にどの待機状態とするか等の設定をユーザが行う必要があるが、その作業が煩雑であった。
【０００９】
本発明は、このような状況に鑑みてなされたものであり、例えば、簡単に、待機電力を削減しながら起動を高速化することができるようにするものである。
【課題を解決するための手段】
【００１０】
本発明の第１の側面の制御システムは、第１の待機状態と前記第１の待機状態より起動状態への移行が高速で待機電力が大きい第２の待機状態とがある機器と、前記機器を前記待機状態から前記起動状態に移行させる制御を行う制御装置とからなる制御システムにおいて、前記制御装置は、前記機器を前記待機状態から前記起動状態へ移行させるときにユーザにより操作される操作手段と、前記操作手段に対して前記機器を前記待機状態から前記起動状態へ移行させる操作がなされたとき、前記起動状態への移行を指示する起動指示信号を、前記機器に送信する第１の送信手段と、前記操作手段に対する前記機器を前記待機状態から前記起動状態へ移行させる操作がなされる前に検出可能な所定のセンサ情報を検出する検出手段と、前記検出手段により検出された前記センサ情報に基づいて、前記操作手段に対して前記機器を前記待機状態から前記起動状態へ移行させる操作がなされる可能性があるか否かを判定する判定手段と、前記操作手段に対して前記機器を前記待機状態から前記起動状態へ移行させる操作がなされる可能性があると判定された場合、前記機器の第２の待機状態への移行を指示する待機状態切り換え指示信号を前記機器に送信する第２の送信手段とを備え、前記機器は、前記制御装置から送信された前記待機状態切り換え指示信号を受信すると、そのときの状態が前記第１の待機状態の場合、前記第２の待機状態に移行し、前記制御装置から送信された前記起動指示信号を受信すると、前記起動状態に移行する。
【００１１】
本発明の第２の側面の制御装置は、第１の待機状態と前記第１の待機状態より起動状態への移行が高速で待機電力が大きい第２の待機状態とがある機器を前記待機状態から前記起動状態に移行させる制御を行う制御装置において、前記機器を前記待機状態から前記起動状態へ移行させるときにユーザにより操作される操作手段と、前記操作手段に対して前記機器を前記待機状態から前記起動状態へ移行させる操作がなされたとき、前記起動状態への移行を指示する起動指示信号を、前記機器に送信する第１の送信手段と、前記操作手段に対する前記機器を前記待機状態から前記起動状態へ移行させる操作がなされる前に検出可能な所定のセンサ情報を検出する検出手段と、前記検出手段により検出された前記センサ情報に基づいて、前記操作手段に対して前記機器を前記待機状態から前記起動状態へ移行させる操作がなされる可能性があるか否かを判定する判定手段と、前記操作手段に対して前記機器を前記待機状態から前記起動状態へ移行させる操作がなされる可能性があると判定された場合、前記機器の第２の待機状態への移行を指示する待機状態切り換え指示信号を前記機器に送信する第２の送信手段とを備え、前記機器は、前記制御装置から送信された前記待機状態切り換え指示信号を受信すると、そのときの状態が前記第１の待機状態の場合、前記第２の待機状態に移行し、前記制御装置から送信された前記起動指示信号を受信すると、前記起動状態に移行する。
【００１２】
本発明の第２の側面の制御装置には、生体指紋を認識する認識手段と、前記認識手段により認識された前記生体指紋から、操作しているユーザを特定する特定手段とをさらに設け、前記検出手段には、前記認識手段により認識された前記生体指紋に基づいて、前記センサ情報として、生体接触の有無を検出させ、前記第１及び第２の送信手段には、前記特定手段により特定された前記操作しているユーザに応じて、前記起動指示信号及び前記待機状態切り換え指示信号の送信を制限させることができる。
【００１３】
本発明の第２の側面の制御装置には、音を入力する入力手段と、前記入力手段に入力された前記音に基づいて、音声を認識する認識手段と、前記認識手段により認識された前記音声から、操作しているユーザを特定する特定手段とをさらに設け、前記検出手段には、前記認識手段により認識された前記音声に基づいて、前記センサ情報として、ユーザによる発音の有無を検出させ、前記第１及び第２の送信手段には、前記特定手段により特定された前記操作しているユーザに応じて、前記起動指示信号及び前記待機状態切り換え指示信号の送信を制限させることができる。
【００１４】
本発明の第２の側面の制御方法またはプログラムは、第１の待機状態と前記第１の待機状態より起動状態への移行が高速で待機電力が大きい第２の待機状態とがある機器を前記待機状態から前記起動状態に移行させる制御を行う制御装置の制御方法または制御処理をコンピュータに実行させるプログラムであり、前記機器を前記待機状態から前記起動状態へ移行させるときにユーザにより操作手段が操作される操作ステップと、前記操作手段に対して前記機器を前記待機状態から前記起動状態へ移行させる操作がなされたとき、前記起動状態への移行を指示する起動指示信号を、前記機器に送信する第１の送信ステップと、前記操作手段に対する前記機器を前記待機状態から前記起動状態へ移行させる操作がなされる前に検出可能な所定のセンサ情報を検出する検出ステップと、前記検出ステップの処理により検出された前記センサ情報に基づいて、前記操作手段に対して前記機器を前記待機状態から前記起動状態へ移行させる操作がなされる可能性があるか否かを判定する判定ステップと、前記操作手段に対して前記機器を前記待機状態から前記起動状態へ移行させる操作がなされる可能性があると判定された場合、前記機器の第２の待機状態への移行を指示する待機状態切り換え指示信号を前記機器に送信する第２の送信ステップとを含み、前記機器は、前記制御装置から送信された前記待機状態切り換え指示信号を受信すると、そのときの状態が前記第１の待機状態の場合、前記第２の待機状態に移行し、前記制御装置から送信された前記起動指示信号を受信すると、前記起動状態に移行する。
【００１５】
本発明の第１の側面においては、制御装置では、機器を待機状態から起動状態へ移行させるときにユーザにより操作手段が操作され、前記操作手段に対して前記機器を前記待機状態から前記起動状態へ移行させる操作がなされたとき、前記起動状態への移行を指示する起動指示信号が、前記機器に送信され、前記操作手段に対する前記機器を前記待機状態から前記起動状態へ移行させる操作がなされる前に検出可能な所定のセンサ情報が検出され、検出された前記センサ情報に基づいて、前記操作手段に対して前記機器を前記待機状態から前記起動状態へ移行させる操作がなされる可能性があるか否かをが判定され、前記操作手段に対して前記機器を前記待機状態から前記起動状態へ移行させる操作がなされる可能性があると判定された場合、前記機器の第２の待機状態への移行を指示する待機状態切り換え指示信号が前記機器に送信され、前記機器は、前記制御装置から送信された前記待機状態切り換え指示信号を受信すると、そのときの状態が前記第１の待機状態の場合、前記第２の待機状態に移行し、前記制御装置から送信された前記起動指示信号を受信すると、前記起動状態に移行する。
【００１６】
本発明の第２の側面においては、機器を待機状態から起動状態へ移行させるときにユーザにより操作手段が操作され、前記操作手段に対して前記機器を前記待機状態から前記起動状態へ移行させる操作がなされたとき、前記起動状態への移行を指示する起動指示信号が、前記機器に送信され、前記操作手段に対する前記機器を前記待機状態から前記起動状態へ移行させる操作がなされる前に検出可能な所定のセンサ情報が検出され、検出された前記センサ情報に基づいて、前記操作手段に対して前記機器を前記待機状態から前記起動状態へ移行させる操作がなされる可能性があるか否かが判定され、前記操作手段に対して前記機器を前記待機状態から前記起動状態へ移行させる操作がなされる可能性があると判定された場合、前記機器の第２の待機状態への移行を指示する待機状態切り換え指示信号が前記機器に送信され、前記機器は、前記制御装置から送信された前記待機状態切り換え指示信号を受信すると、そのときの状態が前記第１の待機状態の場合、前記第２の待機状態に移行し、前記制御装置から送信された前記起動指示信号を受信すると、前記起動状態に移行する。
【発明の効果】
【００１７】
本発明の第１及び第２の側面によれば、例えば、簡単に、待機電力を削減しながら起動を高速化することができる。
【発明を実施するための最良の形態】
【００１８】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１９】
本発明の第１の側面の制御システムは、
第１の待機状態（例えば、ディープスタンバイ）と前記第１の待機状態より起動状態への移行が高速で待機電力が大きい第２の待機状態（例えば、アクティブスタンバイ）とがある機器（例えば、図３のテレビジョン受信機１２）と、前記機器を前記待機状態から前記起動状態に移行させる制御を行う制御装置（例えば、図３のリモートコマンダ１１）とからなる制御システムにおいて、
前記制御装置は、
前記機器を前記待機状態から前記起動状態へ移行させるときにユーザにより操作される操作手段（例えば、図２の電源ONボタン１１Ａ）と、
前記操作手段に対して前記機器を前記待機状態から前記起動状態へ移行させる操作がなされたとき、前記起動状態への移行を指示する起動指示信号を、前記機器に送信する第１の送信手段（例えば、図３の通信部３４）と、
前記操作手段に対する前記機器を前記待機状態から前記起動状態へ移行させる操作がなされる前に検出可能な所定のセンサ情報を検出する検出手段（例えば、図３の動き加速度センサ３１）と、
前記検出手段により検出された前記センサ情報に基づいて、前記操作手段に対して前記機器を前記待機状態から前記起動状態へ移行させる操作がなされる可能性があるか否かを判定する判定手段（例えば、図３のマイクロコントローラ３３）と、
前記操作手段に対して前記機器を前記待機状態から前記起動状態へ移行させる操作がなされる可能性があると判定された場合、前記機器の第２の待機状態への移行を指示する待機状態切り換え指示信号を前記機器に送信する第２の送信手段（例えば、図３の通信部３４）と
を備え、
前記機器は、
前記制御装置から送信された前記待機状態切り換え指示信号を受信すると、そのときの状態が前記第１の待機状態の場合、前記第２の待機状態に移行し、
前記制御装置から送信された前記起動指示信号を受信すると、前記起動状態に移行する。
【００２０】
本発明の第２の側面の制御装置は、
第１の待機状態（例えば、ディープスタンバイ）と前記第１の待機状態より起動状態への移行が高速で待機電力が大きい第２の待機状態（例えば、アクティブスタンバイ）とがある機器（例えば、図３のテレビジョン受信機１２）を前記待機状態から前記起動状態に移行させる制御を行う制御装置（例えば、図３のリモートコマンダ１１）において、
前記機器を前記待機状態から前記起動状態へ移行させるときにユーザにより操作される操作手段（例えば、図２の電源ONボタン１１Ａ）と、
前記操作手段に対して前記機器を前記待機状態から前記起動状態へ移行させる操作がなされたとき、前記起動状態への移行を指示する起動指示信号を、前記機器に送信する第１の送信手段（例えば、図３の通信部３４）と、
前記操作手段に対する前記機器を前記待機状態から前記起動状態へ移行させる操作がなされる前に検出可能な所定のセンサ情報を検出する検出手段（例えば、図３の動き加速度センサ３１）と、
前記検出手段により検出された前記センサ情報に基づいて、前記操作手段に対して前記機器を前記待機状態から前記起動状態へ移行させる操作がなされる可能性があるか否かを判定する判定手段（例えば、図３のマイクロコントローラ３３）と、
前記操作手段に対して前記機器を前記待機状態から前記起動状態へ移行させる操作がなされる可能性があると判定された場合、前記機器の第２の待機状態への移行を指示する待機状態切り換え指示信号を前記機器に送信する第２の送信手段（例えば、図３の通信部３４）と
を備え、
前記機器は、
前記制御装置から送信された前記待機状態切り換え指示信号を受信すると、そのときの状態が前記第１の待機状態の場合、前記第２の待機状態に移行し、
前記制御装置から送信された前記起動指示信号を受信すると、前記起動状態に移行する。
【００２１】
本発明の第２の側面の制御装置には、
生体指紋を認識する認識手段（例えば、図９の生体指紋センサ１２１）と、
前記認識手段により認識された前記生体指紋から、操作しているユーザを特定する特定手段（例えば、図９の特定部１２２Ａ）と
をさらに設け、
前記検出手段（例えば、図９の生体指紋センサ１２１）には、前記認識手段により認識された前記生体指紋に基づいて、前記センサ情報として、生体接触の有無を検出させ、
前記第１及び第２の送信手段には、前記特定手段により特定された前記操作しているユーザに応じて、前記起動指示信号及び前記待機状態切り換え指示信号の送信を制限させることができる。
【００２２】
本発明の第２の側面の制御装置には、
音を入力する入力手段（例えば、図１０のマイクロフォン１５１）と、
前記入力手段に入力された前記音に基づいて、音声を認識する認識手段（例えば、図１０の音声認識部１５２Ａ）と、
前記認識手段により認識された前記音声から、操作しているユーザを特定する特定手段（例えば、図１０の特定部１５２Ｂ）と
をさらに設け、
前記検出手段（例えば、図１０のマイクロコントローラ１５２）には、前記認識手段により認識された前記音声に基づいて、前記センサ情報として、ユーザによる発音の有無を検出させ、
前記第１及び第２の送信手段には、前記特定手段により特定された前記操作しているユーザに応じて、前記起動指示信号及び前記待機状態切り換え指示信号の送信を制限させることができる。
【００２３】
本発明の第２の側面の制御方法またはプログラムは、
第１の待機状態と前記第１の待機状態より起動状態への移行が高速で待機電力が大きい第２の待機状態とがある機器を前記待機状態から前記起動状態に移行させる制御を行う制御装置の制御方法または制御処理をコンピュータに実行させるプログラムであり、
前記機器を前記待機状態から前記起動状態へ移行させるときにユーザにより操作手段が操作される操作ステップ（例えば、図２の電源ONボタン１１Ａによる処理）と、
前記操作手段に対して前記機器を前記待機状態から前記起動状態へ移行させる操作がなされたとき、前記起動状態への移行を指示する起動指示信号を、前記機器に送信する第１の送信ステップ（例えば、図３の通信部３４による処理）と、
前記操作手段に対する前記機器を前記待機状態から前記起動状態へ移行させる操作がなされる前に検出可能な所定のセンサ情報を検出する検出ステップ（例えば、図３の動き加速度センサ３１による処理）と、
前記検出ステップの処理により検出された前記センサ情報に基づいて、前記操作手段に対して前記機器を前記待機状態から前記起動状態へ移行させる操作がなされる可能性があるか否かを判定する判定ステップ（例えば、図５のステップＳ３）と、
前記操作手段に対して前記機器を前記待機状態から前記起動状態へ移行させる操作がなされる可能性があると判定された場合、前記機器の第２の待機状態への移行を指示する待機状態切り換え指示信号を前記機器に送信する第２の送信ステップ（例えば、図３の通信部３４による処理）と
を含み、
前記機器は、
前記制御装置から送信された前記待機状態切り換え指示信号を受信すると、そのときの状態が前記第１の待機状態の場合、前記第２の待機状態に移行し、
前記制御装置から送信された前記起動指示信号を受信すると、前記起動状態に移行する。
【００２４】
以下、図面を参照して本発明を適用した実施の形態について説明する。
【００２５】
図１を参照して上述したように、テレビジョン受信機２を待機状態から起動状態に移行させるにはリモートコマンダ１の電源ONボタン１Ａが操作されるので、ユーザは、通常、例えば卓上に置かれてあるリモートコマンダ１を持ち上げる。
【００２６】
本発明は、このテレビジョン受信機を待機状態から起動状態に移行させる際のユーザのリモートコマンダの取り扱いに着目したもので、図２左に示すように、リモートコマンダ１１は、例えばリモートコマンダ１１がユーザに持ち上げられたことによるリモートコマンダ１１の動きを検出し、検出があった旨を示すセンサ検出信号をテレビジョン受像機１２に送信する。
【００２７】
テレビジョン受信機１２は、利用されていない場合、消費電力が最大限削減可能な待機状態（以下、ディープスタンバイと称する）となっているが、リモートコマンダ１１から検出信号を受信すると、図２中央に示すように、瞬時に起動可能な待機状態（以下、アクティブスタンバイと称する）に移行する。
【００２８】
そして、リモートコマンダ１１の電源ONボタン１１Ａが操作された（例えば押された）とき、リモートコマンダ１１は、テレビジョン受信機１２の起動状態への移行を指示する起動指示信号（以下、電源ON指示信号と称する）をテレビジョン受信機１２に送信する。
【００２９】
アクティブスタンバイのテレビジョン受信機１２は、その指示信号を受信すると、直ちに、起動状態に移行する。
【００３０】
このようにテレビジョン受信機１２には、複数の待機状態が用意にされているが、リモートコマンダ１１の動きに応じて、消費電力節約の効果は大であるが起動時間が長い待機状態から、消費電力節約の効果は少ないが起動時間が短い待機状態に移行するようにしたので、ユーザに待機状態の設定を強制することなく、効果的に消費電力を節約することができ、かつ、起動の高速化を図ることができる。
【００３１】
なおこのようなリモートコマンダ１１の処理を起動制御処理、テレビジョン受信機１２の処理を起動処理と称する。
【００３２】
次に、起動制御処理及び起動処理を実現するリモートコマンダ１１及びテレビジョン受信機１２の構成例について、図３を参照して説明する。
【００３３】
リモートコマンダ１１は、動き加速度センサ３１、操作部３２、マイクロコントローラ３３、及び通信部３４から構成される。
【００３４】
動き加速度センサ３１は、例えば図４に示すような、水平X軸、水平Y軸、及び垂直Z軸の3軸の加速度を検出する加速度センサである。動き加速度センサ３１は、この3軸の加速度を合成した加速度値（加速度の大きさ）を検出し、その検出値（加速度値）を示すセンサ信号をマイクロコントローラ３３に供給する。
【００３５】
操作部３２は、例えば電源ONボタン１１Ａ等の各種ボタンやキー、ダイヤル等から構成され、ユーザによる操作に対応する操作信号を、マイクロコントローラ３３に供給する。
【００３６】
マイクロコントローラ３３は、例えばCPU(Central Processing Unit)、RAM(Random Access Memory)、ROM(Read Only Memory)等から構成される。マイクロコントローラ３３は、動き加速度センサ３１から供給されるセンサ信号、及び操作部３２から供給される操作信号に基づいて、テレビジョン受信機１２に送信する検出信号や指示信号等を生成し、通信部３４に供給する。
【００３７】
通信部３４は、例えば、テレビジョン受信機１２（の通信部５１）との間で赤外線通信や無線通信を行うことにより、マイクロコントローラ３３から供給される信号をテレビジョン受信機１２に送信する。なお、このリモートコマンダ１１（の通信部３４）とテレビジョン受信機１２（の通信部５１）との間の通信方式は、上述した赤外線通信や無線通信に限らず、任意の通信方式とすることができる。
【００３８】
テレビジョン受信機１２は、通信部５１、マイクロコントローラ５２、電源５３、電源入力切替部５４、アンテナ５５、チューナ５６、デコーダ５７、表示制御部５８、表示パネル５９、オーディオアンプ６０、及びスピーカ６１から構成される。
【００３９】
通信部５１は、例えば、リモートコマンダ１１の（の通信部３４）との間で赤外線通信や無線通信を行うことにより、リモートコマンダ１１から送信された信号を受信し、マイクロコントローラ５２に供給する。
【００４０】
マイクロコントローラ５２は、通信部５１から供給される信号等に基づいてテレビジョン受信機１２の各部の制御を行う。
【００４１】
起動処理を実現するマイクロコントローラ５２は、切替制御部５２Ａ及び計時部５２Ｂから構成され、切替制御部５２Ａは、通信部５１から供給される信号に基づいて、電源入力切替部５４を制御するための制御信号を生成し、電源入力切替部５４に供給する。計時部５２Ｂは、例えば所定の状態に移行してからの経過時間を計測する。
【００４２】
電源５３は、テレビジョン受信機１２の電源であり、電力を、通信部５１及びマイクロコントローラ５２に供給するとともに、電源入力切替部５４を介して、それ以外の各ハードウェアブロックに供給する。
【００４３】
電源入力切替部５４は、マイクロコントローラ５２から供給される制御信号に基づいて、スイッチI1，I2，I3，I4，I5，I6を、ON（供給）またはOFF（停止）のいずれかに切り替えて、各ハードウェアブロック（例えば、チューナ５６，デコーダ５７，表示制御部５８，表示パネル５９，オーディオアンプ６０，スピーカ６１）に対して電源５３からの電力を供給する。
【００４４】
なお、ディープスタンバイ中においては、電源入力切替部５４の各スイッチがオフにされており、すなわち、電源５３からの電力は、通信部５１及びマイクロコントローラ５２のみに供給される。一方、アクティブスタンバイ中においては、電源入力切替部５４のスイッチＩ1，Ｉ2，Ｉ3，Ｉ5がオンとされており、すなわち、電源５３からの電力は、通信部５１及びマイクロコントローラ５２の他、チューナ５６、デコーダ５７、表示制御部５８、オーディオアップ６０に供給されるが、表示パネル５９及びスピーカ６１への電力の供給は行われない。
【００４５】
アンテナ５５は、例えば地上アナログ放送や、地上デジタル放送、BS(Broadcasting Satellite)デジタル放送等のテレビジョン放送波を受信し、そのテレビジョン放送波に対応する放送信号を、チューナ５６に供給する。
【００４６】
チューナ５６は、アンテナ５５から供給される放送信号に基づいて、選局や復調等の処理を行い、その結果得られる放送信号を、デコーダ５７に供給する。
【００４７】
デコーダ５７は、チューナ５６から供給される放送信号をデコードし、その結果得られる、画像データを表示パネル５９に、音声データをオーディオアンプ６０に、それぞれ供給する。
【００４８】
表示制御部５８は、デコーダ５７から供給される画像データに基づいて、表示パネル５９に表示するための画像信号を生成して、表示パネル５９に供給する。
【００４９】
表示パネル５９は、表示制御部５８から供給される画像信号に対応する画像をその表示画面に表示する。
【００５０】
オーディオアンプ６０は、デコーダ５７から供給される音声データを増幅する等して、スピーカ６１に供給する。
【００５１】
スピーカ６１は、オーディオアンプ６０から供給される音声データに対応する音声を出力する。
【００５２】
次に、起動制御処理におけるリモートコマンダ１１の動作について、図５のフローチャートを参照して説明する。
【００５３】
ステップＳ１において、マイクロコントローラ３３は、動き加速度センサ３１から供給されるセンサ信号が示す検出値を保持するためのセンサ検出パラメータPを0に初期化する。なお、このセンサ検出パラメータPは、動き加速度センサ３１から供給されるセンサ信号が示す検出値で逐次更新される。
【００５４】
ステップＳ２において、マイクロコントローラ３３は、動き加速度センサ３１から供給されるセンサ信号に基づいて、動き加速度センサ３１よるセンサ検出があったか否かを判定する。例えば、マイクロコントローラ３３は、動き加速度センサ３１で検出される検出値で逐次更新されるセンサ検出パラメータPが例えば所定の値以上であるか否かによりそのセンサ検出があったか否かを判定する。
【００５５】
具体的には、例えば図６左に示すように、床にリモートコマンダ１１が静置されている場合、動き加速度センサ３１の3軸のうちのどの軸の方向にも動きがなく、動き加速度センサ３１で検出される加速度値がほぼゼロであるので、マイクロコントローラ３３は、センサ検出がないと判定する。そして、リモートコマンダ１１が、図６右に示すように、ユーザに持ち上げられた場合、加速度的にリモートコマンダ１１が移動するので、動き加速度センサ３１で検出される加速度値が大きな値となるので、マイクロコントローラは、センサ検出があったと判定する。
【００５６】
ステップＳ２において、センサ検出があったと判定された場合、すなわち、センサ検出パラメータPが例えば所定の値以上であった場合、ステップＳ３において、マイクロコントローラ３３は、センサ検出パラメータPが有効か否かを判定する。すなわち例えば、マイクロコントローラ３３は、センサ検出パラメータPがあらかじめ決められた有効範囲（例えば、所定の値以下）である場合に限り、センサ検出パラメータPは有効であると判定する。これにより、異常な検出値が検出された場合でも、誤ってセンサ検出があったと判定してしまうことを防ぐことができる。
【００５７】
ステップＳ３において、センサ検出パラメータPが有効でないと判定された場合、ステップＳ１に戻り、マイクロコントローラ３３は、センサ検出パラメータPを初期化し、それ以降の処理を同様に行う。
【００５８】
一方、ステップＳ３において、センサ検出パラメータPが有効であると判定された場合、ステップＳ４において、マイクロコントローラ３３は、通信部３４を制御して、センサ検出パラメータPを含むセンサ検出があった旨を示すセンサ検出信号をテレビジョン受信機１２に送信させる。そして、ステップＳ２に戻り、以降の処理が同様に行われる。
【００５９】
なお、後述するように、テレビジョン受信機１２は、このセンサ検出信号を受信すると、ディープスタンバイ中であればアクティブスタンバイに移行する。すなわち、このセンサ検出信号は、テレビジョン受信機１２のアクティブスタンバイへの移行を指示する指示信号としての意味を有している。
【００６０】
一方、ステップＳ２において、センサ検出がなかったと判定された場合、すなわち、センサ検出パラメータPが例えば所定の値より小さい場合、ステップＳ５において、マイクロコントローラ３３は、電源ONボタンが押されたか否かを判定する。すなわち例えば、マイクロコントローラ３３は、操作部３２から電源ONボタンが押されたことを示す操作信号が供給されたか否かを判定する。
【００６１】
ステップＳ５において、電源ONボタンが押されていないと判定された場合、ステップＳ２に戻り、それ以降の処理を同様に行う。
【００６２】
一方、ステップＳ５において、電源ONボタンが押されたと判定された場合、ステップＳ６において、マイクロコントローラ３３は、通信部３４を制御して、テレビジョン受信機１２の電源ONを指示する電源ON指示信号をテレビジョン受信機１２に送信させる。そして、ステップＳ２に戻り、それ以降の処理が同様に行われる。
【００６３】
なお、この例では、ステップＳ４で、センサ検出パラメータPが有効であると判定された場合に、センサ検出信号を送信させるようにしたが、その他、ステップＳ３の有効判定を行なわず、ステップＳ２でセンサ検出があったと判定された場合、ステップＳ３をスキプして、ステップＳ４で、センサ検出信号を送信させるようにしてもよい。
【００６４】
次に、起動処理におけるテレビジョン受信機１２の動作について、図７のフローチャートを参照して説明する。
【００６５】
起動処理は、例えば、待機状態（ディープスタンバイまたはアクティブスタンバイ）に移行したときに開始される。
【００６６】
ステップＳ４１において、切替制御部５２Ａは、リモートコマンダ１１から信号を受けたかを判定する。ステップＳ４１において、リモートコマンダ１１から信号を受けていないと判定された場合、ステップＳ４１に戻り、それ以降の処理が同様に行われる。
【００６７】
一方、ステップＳ４１において、リモートコマンダ１１から信号を受けたと判定された場合、ステップＳ４２において、切替制御部５２Ａは、リモートコマンダ１１から受けた信号がセンサ検出信号であるかを判定する。ステップＳ４２において、リモートコマンダ１１から受けた信号がセンサ検出信号であると判定された場合、ステップＳ４３において、切替制御部５２Ａは、ディープスタンバイ中であるか否かを判定する。
【００６８】
ステップＳ４３において、ディープスタンバイ中でないと判定された場合、ステップＳ４１に戻り、それ以降の処理を同様に行う。
【００６９】
一方、ステップＳ４３において、ディープスタンバイ中であると判定された場合、ステップＳ４４において、切替制御部５２Ａは、（ディープスタンバイから）アクティブスタンバイへの移行を指示する制御信号を、電源入力切替部５４に供給する。電源入力切替部５４は、その制御信号に基づいて、スイッチＩI，Ｉ2，Ｉ3，Ｉ5をオンにする。これによりチューナ５６乃至表示制御部５８、並びにオーディオアンプ６０への電力の供給が開始される。そして、電力の供給が開始された各ハードウェアブロックは、例えばマイクロコントローラ５２の制御に基づいて、各種の設定を開始する。
【００７０】
これにより、テレビジョン受信機１２は、アクティブスタンバイ、すなわち、ディープスタンバイより電力供給されるハードウェアブロックが多い（待機電力が大きい）が、瞬時に起動可能な状態への移行を開始する。
【００７１】
アクティブスタンバイ中は、チューナ５６からの放送信号をデコーダ５７でデコードしておくことができるので、デコーダ５７の出力に対応する画像または音声を、起動状態になったときに瞬時に表示パネル５９またはスピーカ６１から出力することが可能となる。すなわち、アクティブスタンバイ中は、表示制御部５８で画像がミュートされ、スピーカ６１の前段のオーディオアンプ６０で音声がミュートされているとも言える。
【００７２】
ステップＳ４５において、計時部５２Ｂは、アクティブスタンバイの開始からの経過時間の計測を開始する。
【００７３】
ステップＳ４６において、切替制御部５２Ａは、リモートコマンダ１１から電源ON指示信号を受けたかを判定する。ステップＳ４６において、リモートコマンダ１１から電源ON指示信号を受けていないと判定された場合、ステップＳ４７において、切替制御部５２Ａは、計時部５２Ｂにより計測されたアクティブスタンバイの開始からの経過時間が（あらかじめ設定された）タイムアウト時間を超えたか否かを判定する。ステップＳ４７において、タイムアウト時間を超えていないと判定された場合、ステップＳ４６に戻り、それ以降の処理が同様に行われる。
【００７４】
一方、ステップＳ４７において、タイムアウト時間を超えたと判定された場合、ステップＳ４８において、切替制御部５２Ａは、（アクティブスタンバイから）ディープスタンバイへの移行を指示する制御信号を電源入力切替部５４に供給する。電源入力切替部５４は、その制御信号に基づいて、スイッチＩI，Ｉ2，Ｉ3，Ｉ5をオフにし、チューナ５６乃至表示制御部５８並びにオーディオアンプ６０への電力の供給を停止する。
【００７５】
これにより、テレビジョン受信機１２は、ディープスタンバイの状態、すなわち最も待機電力が削減できるいわば完全待機状態に移行する。そして、ステップＳ４１に戻り、それ以降の処理が同様に行われる。
【００７６】
一方、ステップＳ４２において、リモートコマンダ１１からの信号がセンサ検出信号でないと判定された場合、ステップＳ５０において、切替制御部５２Ａは、リモートコマンダ１１からの信号が電源ON指示信号であるか否かを判定する。ステップＳ５０において、電源ON指示信号でないと判定された場合、ステップＳ４１に戻り、それ以降の処理が同様に行われる。
【００７７】
ステップＳ５０において、電源ON指示信号であると判定された場合、または、ステップＳ４６において、リモートコマンダ１１から電源ON指示信号を受けたと判定された場合、ステップＳ５１において、切替制御部５２Ａは、起動状態への移行を指示する制御信号を電源入力切替部５４に供給する。電源入力切替部５４は、その制御信号に基づいて、スイッチＩ4，Ｉ6をオンにする。これにより表示パネル５９及びスピーカ６１への電力の供給が開始される。そして、ステップＳ４１に戻り、それ以降の処理が同様に行われる。
【００７８】
表示パネル５９及びスピーカ６１では、電力供給の開始後の各種の設定が不要であるかまたは最小限であるので、これらに電力供給が開始されると、テレビジョン受信機１２は、瞬時に起動状態に移行する。
【００７９】
以上のように、例えば、リモートコマンダ１１が床に静置されている場合、テレビジョン受信機１２は、最も待機電力が削減できるディープスタンバイで待機し、また、リモートコマンダ１１がユーザにより手で拾い上げられた場合、リモートコマンダ１１の動きが検出されその旨が通知された段階で、テレビジョン受信機１２は、自動的に、瞬時に起動可能な状態であるアクティブスタンバイへの移行を開始する。そして、例えば最短でも約1秒程度のちに、リモートコマンダ１１の電源ONボタン１１Ａがユーザにより操作されその旨の通知がされた段階で、テレビジョン受信機１２は、アクティブスタンバイに移行していれば瞬時に起動状態に移行し、まだアクティブスタンバイに移行していなければアクティブスタンバイに移行し次第、起動状態に移行する。したがって、ユーザに設定作業などを行わせる必要がなく、簡単に、待機電力を削減しながら起動を高速化することができる。
【００８０】
また、例えば、ユーザが意図せずにリモートコマンダ１１を動かしてしまった場合のように、テレビジョン受信機１２がユーザの期待に反してディープスタンバイからアクティブスタンバイに自動的に移行してしまったときでも、所定の時間が経過するとユーザの指示を特に受けなくても自動的にディープスタンバイに移行するようにしたので、誤操作や誤検出が生じた際にユーザがそのことに気づかなくても、待機電力の増大を抑えることができる。
【００８１】
次に図８を参照して、本発明を適用した他のリモートコマンダ８１の構成例を説明する。
【００８２】
なお、図８において、図３における対応する部分には同一の符号を付してあり、その説明を適宜省略する。
【００８３】
図８のリモートコマンダ８１には、生体接触センサ９１が追加され、図３のリモートコマンダ１１のマイクロコントローラ３３に代えてマイクロコントローラ９２が設けられている。他の部分には、リモートコマンダ１１における場合と同じ符号を付し、その説明を適宜省略する。
【００８４】
図１を参照して上述したように、テレビジョン受信機２を待機状態から起動状態に移行させるにはリモートコマンダ１の電源ONボタン１Ａが操作されるが、この例では、ユーザは、リモートコマンダ８１の電源ONボタン１１Ａを操作するのに、生体接触センサ９１がある箇所を握るように要求されているものとする。
【００８５】
リモートコマンダ８１は、例えば生体接触センサ９１にユーザの指等が接触したことによる生体接触を検出し、生体接触を検出したことを示すセンサ検出信号をテレビジョン受像機１２に送信する。
【００８６】
生体接触センサ９１は、生体接触の有無を検出し、生体接触があった場合に、その旨を示すセンサ信号を、マイクロコントローラ９２に供給する。
【００８７】
マイクロコントローラ９２は、例えばCPU、RAM、ROM等から構成される。マイクロコントローラ９２は、動き加速度センサ３１及び生体接触センサ９１から供給されるセンサ信号、及び操作部３２から供給される操作信号に基づいて、テレビジョン受信機１２に送信する検出信号や指示信号等を生成し、通信部３４に供給する。
【００８８】
例えば、マイクロコントローラ９２は、生体接触センサ９１から生体接触があった旨のセンサ信号が供給されると、そのときに動き加速度センサ３１で検出された加速度値を含むセンサ検出があった旨のセンサ検出信号を、通信部３４を制御して、テレビジョン受信機１２に送信させる。
【００８９】
以上のように、例えば、リモートコマンダ８１の生体接触センサ９１に何も接触していない場合、テレビジョン受信機１２は、最も待機電力が削減できるディープスタンバイの状態で待機し、また、生体接触センサ９１にユーザの指等が触れた場合、生体接触が検出されその旨が通知された段階で、テレビジョン受信機１２は、自動的に、瞬時に起動可能な状態であるアクティブスタンバイへの移行を開始する。そして、リモートコマンダ８１の電源ONボタン１１Ａがユーザにより操作されその旨の通知された段階で、テレビジョン受信機１２は、アクティブスタンバイに移行していれば瞬時に起動状態に移行し、まだアクティブスタンバイに移行していなければアクティブスタンバイに移行し次第、起動状態に移行する。したがって、ユーザに設定作業などを行わせる必要がなく、簡単に、待機電力を削減しながら起動を高速化することができる。
【００９０】
次に図９を参照して、本発明を適用した他のリモートコマンダ１１１の構成例を説明する。
【００９１】
なお、図９において、図３における対応する部分には同一の符号を付してあり、その説明を適宜省略する。
【００９２】
図９のリモートコマンダ１１１には、図３のリモートコマンダ１１の動き加速度センサ３１及びマイクロコントローラ３３に代えて生体指紋センサ１２１及びマイクロコントローラ１２２が設けられている。他の部分には、リモートコマンダ１１における場合と同じ符号を付し、その説明を適宜省略する。
【００９３】
図１で上述したように、テレビジョン受信機２を待機状態から起動状態に移行させるにはリモートコマンダ１の電源ONボタン１Ａが操作されるが、この例では、ユーザは、リモートコマンダ１１１の電源ONボタン１１Ａを操作するのに、生体指紋センサ１２１に指を触れるように要求されているものとする。
【００９４】
リモートコマンダ１１１は、例えばリモートコマンダ１１１にユーザの指等が接触したことによる生体接触を検出し、生体接触を検出したことを示すセンサ検出信号をテレビジョン受像機１２に送信する。
【００９５】
生体指紋センサ１２１は、生体指紋を認識する生体指紋センサであり、さらに例えば生体指紋が認識されたかに応じて生体接触の有無を検出し、生体接触があった場合に、その旨を示すセンサ信号とともに認識した生体指紋情報をマイクロコントローラ１２２に供給する。
【００９６】
マイクロコントローラ１２２は、例えばCPU、RAM、ROM等から構成される。マイクロコントローラ１２２は、生体指紋センサ１２１から供給されるセンサ信号、及び操作部３２から供給される操作信号に基づいて、テレビジョン受信機１２に送信する検出信号や指示信号等を生成し、通信部３４に供給する。
【００９７】
例えば、マイクロコントローラ１２２は、生体指紋センサ１２１から生体接触があった旨のセンサ信号が供給されると、それとともに供給される生体指紋情報に基づいて、操作者を特定する。この操作者の特定を実現するマイクロコントローラ１２２は、特定部１２２Ａを有して構成される。特定部１２２Ａは、例えば、生体指紋センサ１２１から供給される生体指紋情報を、登録されている生体指紋情報と照合することにより、操作者を特定する。そして、マイクロコントローラ１２２は、例えば、特定された操作者が所定のユーザのときに限り、操作者の情報を含むセンサ検出信号を、通信部３４を制御して、テレビジョン受信機１２に送信させる。
【００９８】
以上のように、例えば、リモートコマンダ１１１の生体指紋センサ１２１に何も接触していない場合、テレビジョン受信機１２は、最も待機電力が削減できるディープスタンバイの状態で待機し、また、生体指紋センサ１２１にユーザの指等に触れた場合、生体接触が検出されその旨が通知された段階で、テレビジョン受信機１２は、自動的に、瞬時に起動可能な状態であるアクティブスタンバイへの移行を開始する。そして、リモートコマンダ１１１の電源ONボタン１１Ａがユーザにより操作されその旨の通知された段階で、テレビジョン受信機１２は、アクティブスタンバイに移行していれば起動状態に移行し、まだアクティブスタンバイに移行していなければアクティブスタンバイに移行し次第、起動状態に移行する。したがって、ユーザに設定作業などを行わせる必要がなく、簡単に、待機電力を削減しながら起動を高速化することができる。
【００９９】
また、テレビジョン受信機１２は、特定部１２２Ａで特定された操作者が所定のユーザであるときに限り、リモートコマンダ１１１からテレビジョン受信機１２にセンサ検出信号を送信するようにしたので、例えば、所定のユーザ以外のユーザが意図せずに生体指紋センサ１２１に触ってしまったような場合に自動的にアクティブスタンバイに移行してしまうことを防ぐことができる。
【０１００】
図１０を参照して、本発明を適用した他のリモートコマンダ１４１の構成例を説明する。
【０１０１】
なお、図１０において、図３における対応する部分には同一の符号を付してあり、その説明を適宜省略する。
【０１０２】
図１０のリモートコマンダ１４１には、図３のリモートコマンダ１１の動き加速度センサ３１及びマイクロコントローラ３３に代えてマイクロフォン１５１及びマイクロコントローラ１５２が設けられている。他の部分には、リモートコマンダ１１における場合と同じ符号を付し、その説明を適宜省略する。
【０１０３】
図１で上述したように、テレビジョン受信機２を待機状態から起動状態に移行させるにはリモートコマンダ１の電源ONボタン１Ａが操作されるが、この例では、ユーザは、リモートコマンダ１４１の電源ONボタン１１Ａを操作するのに、リモートコマンダ１４１に対して何らかの音声を発するように要求されている。
【０１０４】
リモートコマンダ１４１は、例えばマイクロフォン１５１から人の音声が入力されると、人の音声を検出したことを示す検出信号をテレビジョン受像機１２に送信する。
【０１０５】
マイクロフォン１５１は、外部から音を入力し、その音情報をマイクロコントローラ１２２に供給する。
【０１０６】
マイクロコントローラ１５２は、例えばCPU、RAM、ROM等から構成される。マイクロフォン１５１から供給される音情報、及び操作部３２から供給される操作信号に基づいて、テレビジョン受信機１２に送信する検出信号や指示信号等を生成し、通信部３４に供給する。
【０１０７】
例えば、マイクロコントローラ１５２は、マイクロフォン１５１から供給される音情報に基づいて、音声認識を行い、その音声を発したユーザの特定を行う。これらを実現するマイクロコントローラ１５２は、音声認識部１５２Ａ及び特定部１５２Ｂを有して構成される。音声認識部１５２Ａは、マイクロフォン１５１から供給される音情報から（人の）音声を認識する。特定部１５２Ｂは、音声認識部１５２Ａで認識された音声を登録されている音声と照合することにより、操作者を特定する。マイクロコントローラ１５２は、例えば、特定された操作者が所定のユーザのときに限り、操作者の情報を含むセンサ検出信号を、通信部３４を制御して、テレビジョン受信機１２に送信させる。
【０１０８】
以上ように、例えば、リモートコマンダ１４１のマイクロフォン１５１に何も人の音声が発されていない場合、テレビジョン受信機１２は、最も待機電力が削減できるディープスタンバイの状態で待機し、また、リモートコマンダ１４１で人の音声が認識された場合、その旨が通知された段階で、テレビジョン受信機１２は、自動的に、瞬時に起動可能な状態であるアクティブスタンバイへの移行を開始する。そして、リモートコマンダ１４１の電源ONボタンがユーザにより操作されその旨の通知が受信された段階で、テレビジョン受信機１２は、アクティブスタンバイに移行していれば起動状態に移行し、まだアクティブスタンバイに移行していなければアクティブスタンバイに移行し次第、起動状態に移行する。したがって、ユーザに設定作業などを行わせる必要がなく、簡単に、待機電力を削減しながら起動を高速化することができる。
【０１０９】
また、テレビジョン受信機１２は、特定部１５２Ｂで特定された操作者が所定のユーザであるときに限り、リモートコマンダ１４１からテレビジョン受信機１２にセンサ検出信号を送信するようにしたので、例えば、所定のユーザ以外のユーザが意図せずにマイクロフォン１５１に対して音声を発したような場合に自動的にアクティブスタンバイに移行してしまうことを防ぐことができる。
【０１１０】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１１１】
図１１は、上述した一連の処理をプログラムにより実行するコンピュータのハードウェアの構成例を示すブロック図である。
【０１１２】
コンピュータにおいて、CPU１７１，ROM１７２，RAM１７３は、バス１７４により相互に接続されている。
【０１１３】
バス１７４には、さらに、入出力インタフェース１７５が接続されている。入出力インタフェース１７５には、キーボード、マウス、マイクロホンなどよりなる入力部１７６、ディスプレイ、スピーカなどよりなる出力部１７７、ハードディスクや不揮発性のメモリなどよりなる記憶部１７８、ネットワークインタフェースなどよりなる通信部１７９、磁気ディスク、光ディスク、光磁気ディスク、或いは半導体メモリなどのリムーバブルメディア１８１を駆動するドライブ１８０が接続されている。
【０１１４】
以上のように構成されるコンピュータでは、CPU１７１が、例えば、記憶部１７８に記憶されているプログラムを、入出力インタフェース１７５及びバス１７４を介して、RAM１７３にロードして実行することにより、上述した一連の処理が行われる。
【０１１５】
コンピュータ（CPU１７１）が実行するプログラムは、例えば、磁気ディスク（フレキシブルディスクを含む）、光ディスク（CD−ROM(Compact Disc−Read Only Memory),DVD(Digital Versatile Disc)等）、光磁気ディスク、もしくは半導体メモリなどよりなるパッケージメディアであるリムーバブルメディア１８１に記録して、あるいは、ローカルエリアネットワーク、インターネット、ディジタル衛星放送といった、有線または無線の伝送媒体を介して提供される。
【０１１６】
そして、プログラムは、リムーバブルメディア１８１をドライブ１８０に装着することにより、入出力インタフェース１７５を介して、記憶部１７８にインストールすることができる。また、プログラムは、有線または無線の伝送媒体を介して、通信部１７９で受信し、記憶部１７８にインストールすることができる。その他、プログラムは、ROM１７２や記憶部１７８に、あらかじめインストールしておくことができる。
【０１１７】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１１８】
なお、本発明の実施の形態は、上述した実施の形態に限定されるものではなく、本発明の要旨を逸脱しない範囲において種々の変更が可能である。
【図面の簡単な説明】
【０１１９】
【図１】リモートコマンダ１及びテレビジョン受信機２の利用例を示す図である。
【図２】リモートコマンダ１１及びテレビジョン受信機１２の利用例を示す図である。
【図３】リモートコマンダ１１及びテレビジョン受信機１２の構成例を示すブロック図である。
【図４】動き加速度センサ３１の例を示す図である。
【図５】起動制御処理におけるリモートコマンダ１１の動作を示すフローチャートである。
【図６】ユーザがリモートコマンダ１１を持ち上げる様子を示す図である。
【図７】起動処理におけるテレビジョン受信機１２の動作を示すフローチャートである。
【図８】リモートコマンダ８１及びテレビジョン受信機１２の構成例を示す図である。
【図９】リモートコマンダ１１１及びテレビジョン受信機１２の構成例を示す図である。
【図１０】リモートコマンダ１４１及びテレビジョン受信機１２の構成例を示す図である。
【図１１】本発明を適用したコンピュータのハードウェアの構成例を示すブロック図である。
【符号の説明】
【０１２０】
１  リモートコマンダ，  １Ａ  電源ONボタン，  ２  テレビジョン受信機，  １１  リモートコマンダ，  １１Ａ  電源ONボタン，  １２  テレビジョン受信機，  ３１  動き加速度センサ，  ３２  操作部，  ３３  マイクロコントローラ，  ３４  通信部，  ５１  通信部，  ５２  マイクロコントローラ，  ５２Ａ  切替制御部，  ５２Ｂ  計時部５２Ｂ，  ５３  電源，  ５４  電源入力切替部，  ５５  アンテナ，  ５６  チューナ，  ５７  デコーダ，  ５８  表示制御部，  ５９  表示パネル，  ６０  オーディオアンプ，  ６１  スピーカ，  ８１  リモートコマンダ，  ９１  生体接触センサ，  ９２  マイクロコントローラ，  １１１  リモートコマンダ，  １２１  生体指紋センサ，  １２２  マイクロコントローラ，  １２２Ａ  特定部，  １４１  リモートコマンダ，  １５１  マイクロフォン，  １５２  マイクロコントローラ，  １５２Ａ  音声認識部，  １５２Ｂ  特定部，  １７１  CPU，  １７２  ROM，  １７３  RAM，  １７４  バス，  １７５  入出力インタフェース，  １７６  入力部，  １７７  出力部，  １７８  記憶部，  １７９  通信部，  １８０  ドライブ，  １８１  リムーバブルメディア
【図１】
2009077186.tif 000003
【図２】
2009077186.tif 000004
【図３】
2009077186.tif 000005
【図４】
2009077186.tif 000006
【図５】
2009077186.tif 000007
【図６】
2009077186.tif 000008
【図７】
2009077186.tif 000009
【図８】
2009077186.tif 000010
【図９】
2009077186.tif 000011
【図１０】
2009077186.tif 000012
【図１１】
2009077186.tif 000013